(57)【要約】      （修正有）【課題】ポスター等の紙片を掲示する際において、ポスター等の掲示物や壁面に画鋲の跡を残してしまうことなく掲示することが可能であると共に、大量の紙片を掲示する際にも手間をかけずに、しかも従来の形態と異なる形態とすることで、掲示物としての注目度を向上させることが可能な紙片ホルダを提供する。【解決手段】紙片２０の対向する端縁部をそれぞれ挟持する一対の挟持部１３Ｘ、１３Ｚと、挟持体１の紙片挟持部分どうしを対向させた状態で連結する連結体１６を有することを特徴とする紙片ホルダである。【選択図】図５
2006221126.tif 000002
【特許請求の範囲】
【請求項１】
紙片の対向する端縁部をそれぞれ挟持する一対の挟持体と、
該挟持体の紙片挟持部分どうしを対向させた状態で連結する連結体を有することを特徴とする紙片ホルダ。
【請求項２】
前記連結体は、前記挟持体どうしの離反距離が調整可能に設けられていることを特徴とする請求項１記載の紙片ホルダ。
【請求項３】
前記挟持体は、本体部と、該本体部に着脱自在に設けられた押圧板とにより構成されていることを特徴とする請求項１または２記載の紙片ホルダ。
【請求項４】
前記挟持体は、ネジ止めにより紙片を挟持していることを特徴とする請求項１〜３のうちのいずれか一項に記載の紙片ホルダ。
【請求項５】
前記挟持体は、付勢手段により紙片を挟持していることを特徴とする請求項１〜３のうちのいずれか一項に記載の紙片ホルダ。
【請求項６】
前記挟持体は、磁力により紙片を挟持していることを特徴とする請求項１〜３のうちのいずれか一項に記載の紙片ホルダ。
【請求項７】
前記紙片は、前記一対の挟持体の各対向端面に形成された挟持溝により挟持されることを特徴とする請求項１または２記載の紙片ホルダ。
【発明の詳細な説明】
【技術分野】
【０００１】
本発明は、紙片ホルダに関し、より詳細には、掲示すべき紙片を傷めることなく掲示し、回収することが可能であり、掲示物を美麗に保持することができる紙片ホルダに関する。
【背景技術】
【０００２】
従来、ポスター等の掲示を目的とした紙片の掲示方法としては、壁面に配設したポスター等に画鋲を刺すことにより固定する方法が用いられていた。また、掲示後にきれいな状態で保管しておきたいポスター等においては、額縁に収納した状態で額縁と共に掲示することもあった。
【発明の開示】
【発明が解決しようとする課題】
【０００３】
従来技術のように、壁面に配設したポスター等の紙片を画鋲で固定する方法では、ポスター等に画鋲の跡が残ってしまうといった課題がある。また、ポスター等を固定する壁面にも画鋲の跡が残ってしまい、紙片および展示場の美観を損ねるという課題もある。
一方、ポスター等を額縁に収納した後に額縁と共に掲示する方法では、額縁にポスター等を収納しなければならず、大量にポスター等を掲示する際において、非常に手間がかかるといった課題がある。
また、これらの方法においては、掲示方法に斬新さがなく、特に多数の掲示物が陳列された中においては注目されにくいといった掲示物にとっては致命的な課題もある。
【０００４】
本発明は、ポスター等の紙片を掲示する際において、ポスター等の掲示物や壁面に画鋲の跡を残してしまうことなく掲示することが可能であると共に、大量の紙片を掲示する際にも手間をかけずに、しかも従来の形態と異なる形態とすることで、掲示物としての注目度を向上させることが可能な紙片ホルダの提供を目的としている。
【課題を解決するための手段】
【０００５】
上記目的を達成するべく、本発明は以下の構成を備える。
すなわち、紙片の対向する端縁部をそれぞれ挟持する一対の挟持体と、該挟持体の紙片挟持部分どうしを対向させた状態で連結する連結体を有することを特徴とする紙片ホルダである。
【０００６】
また、前記連結体は、前記挟持体どうしの離反距離が調整可能に設けられていることを特徴とする。
これにより、紙片に適切な張力をかけた状態で掲示することができる。
【０００７】
また、前記挟持体は、本体部と、該本体部に着脱自在に設けられた押圧板とにより構成されていることを特徴とする。
これにより、挟持片を適宜変更することができるので、掲示物に応じて紙片ホルダをコーディネートすることができる。
【０００８】
また、前記挟持体は、ネジ止めにより紙片を挟持していることを特徴とする。
また、前記挟持体は、付勢手段により紙片を挟持していることを特徴とする。
さらにまた、前記挟持体は、磁力により紙片を挟持していることを特徴とする。
これらにより、容易な作業により紙片を挟持させることができる。また、ネジの回転量の調整や付勢手段および磁石の選択により紙片の挟持力を簡単に調整することができる。
【０００９】
また、前記紙片は、前記一対の挟持体の各対向端面に形成された挟持溝により挟持されることを特徴とする。
これにより、簡単な構造で紙片を保持することができる。また、挟持体に複数種類の挟持溝を形成しておけば、様々な厚さの紙片を保持することができる。
【発明の効果】
【００１０】
本発明に係る紙片ホルダによれば、掲示すべき紙片や壁面を傷ませることなく紙片を掲示することができる。また、掲示すべき紙片に応じて紙片ホルダの外観を容易に変更させることができるため、掲示物の注目度を高めることができる。
【発明を実施するための最良の形態】
【００１１】
（第１の実施形態）
以下、本発明の好適な実施形態について添付図面を参照しながら詳細に説明する。図１は第１の実施形態における紙片ホルダの正面図である。図２は、紙片ホルダの平面図である。図３は、挟持体の側面図である。図４は、第１の実施形態における紙片ホルダの分解図である。
【００１２】
本実施形態における紙片ホルダ１０は、挟持体本体部１２と、挟持体本体部１２に着脱自在に設けられた押圧板１４と、挟持体本体部１２どうしを連結する連結材である連結板１６とを有し、全体形状が略Ｉ字状に組み立てられている。挟持体１３は挟持体本体部１２と押圧板１４により構成されている。
挟持体本体部１２は木材からなり、正面視が長方形状に形成されている。挟持体本体部１２の背面には、挟持体本体部１２に対して連結板１６を直交する方向に取り付けるための嵌合溝１２ａが形成されている。嵌合溝１２ａは、挟持体本体部１２における横方向の中央部に形成されている。嵌合溝１２ａは、連結板１６を嵌合させた際に、連結板１６の背面と挟持体本体部１２の背面が面一となる深さに形成されている。嵌合溝１２ａは、挟持体本体部１２の縦方向を横断している。
【００１３】
また、挟持体本体部１２の正面側には、押圧板１４が配設される切欠部１２ｂが形成されている。切欠部１２ｂは、切欠部１２ｂに押圧板１４を配設した際において、押圧板１４の表面と挟持体本体部１２の表面が面一になる深さに形成されている。切欠部１２ｂは、挟持体本体部１２の下半部において、挟持体本体部１２の横方向を横断して形成されている。切欠部１２ｂには所要間隔をあけてネジ穴１２ｃが設けられている。
【００１４】
本実施形態における押圧板１４は、アクリル板により形成されている。押圧板１４は、挟持体本体部１２の切欠部１２ｂに一致する大きさに形成されている。押圧板１４には、切欠部１２ｂに設けられたネジ穴１２ｃに対応する位置に貫通孔１４ａが配設されている。
【００１５】
連結材である連結板１６は、押圧板１４と同じアクリル板により細長の長方形状に形成されている。連結板１６の両端部分には、挟持体本体部１２を固定するためのネジ孔１８が形成されている。ネジ孔１８のうち少なくとも一方のネジ孔１８ａは長孔に形成されている。
【００１６】
挟持体本体部１２の縦方向に嵌合溝１２ａが横断して形成され、連結板１６に長孔１８ａが形成されているので、連結板１６と挟持体本体部１２を連結する際には、長孔１８ａが形成された側に連結する挟持体本体部１２を連結板１６と嵌合させた状態で連結板１６の延長方向にスライドさせ、任意の位置で固定することができる。
【００１７】
次に本実施形態における紙片ホルダ１０への紙片の取り付け方法について説明する。図５は、紙片ホルダへの紙片の取り付け方法を示す説明図である。図６は、紙片ホルダに紙片を取り付けた状態を示す正面図である。
まず、一方の挟持体本体部１２Ｚの嵌合溝に連結板１６の一端部をネジ止めにより取り付ける。次いで、挟持体本体部１２Ｚの切欠部１２Ｚｂに紙片２０を配設し、紙片２０の上側から押圧板１４Ｚを被せ、ネジ孔１４Ｚａ（１２Ｚｃ）にネジ止めして押圧板１４Ｚを枠体１２Ｚに固定する（矢印Ａ）。これにより紙片２０の一端縁が切欠部１２Ｚｂと押圧板１４Ｚ（一方の挟持体１３Ｚ）により挟持された状態になる。紙片２０を挟持する力は、ネジの締め付け量により調整できる。なお、押圧板１４は透明なアクリル板により形成されているので、挟持体本体部１２と押圧板１４と（挟持体１３）で挟持されている部分も可視状態となり、紙片２０の全体を示すことができる。
【００１８】
次に、他方の挟持体本体部１２Ｘの嵌合溝を連結板１６の他端部側に嵌合させる。他方の挟持体本体部１２Ｘを、切欠部１２Ｘｂに紙片２０の他端縁が載置可能な位置になるまで挟持体本体部１２Ｘを連結板上１６でスライドさせる（矢印Ｂ）。切欠部１２Ｘｂに紙片２０の他端縁が載置された状態で、押圧板１４Ｘを切欠部１２Ｘｂに被せると共に、ネジ孔１４Ｘａ（１２Ｘｃ）の位置でネジ止めして固定する（矢印Ｃ）。他方の挟持体本体部１２Ｘと押圧板１４Ｘ（他方の挟持体１３Ｘ）により紙片２０の他端縁が挟持された後、他方の挟持体１３Ｘを矢印Ｂと逆方向に連結板１６上をスライドさせて紙片２０が撓まないように若干引っ張り加減となるように紙片２０に張力をかける。紙片２０に適切な張力が付与された状態で挟持体本体部１２Ｘ（挟持体１３Ｘ）と連結板１６がネジ孔１８ａ部分で固定される。このようにして図６に示すように美麗な状態で紙片２０を掲示することが可能になる。
【００１９】
（第２の実施形態）
図７は、第２の実施形態における紙片ホルダ１０の分解図である。本実施形態においては、挟持体本体部１２と押圧板１４（挟持体１３）は、ネジ止めではなく磁力により固定している点、および、挟持体１３の表面には押圧板１４のみがあらわれている点で先の実施形態と相違している。
挟持体本体部１２の切欠部１２ｂには磁石１５が配設されている。磁石１５は、シート状に形成されていて、切欠部１２ｂの表面に接着剤等により貼着されている。押圧板１４は、挟持体本体部１２の切欠部１２ｂに対向する面に、磁性体１７が配設されている。磁性体１７もシート状に形成されたものが接着剤等により貼着されている。
【００２０】
本実施形態における押圧板１４は、挟持体本体部１２の表面と同じ大きさに形成されているため、挟持体１３に挟持体本体部１２と押圧板１４の境界線があらわれない。また、押圧板１４に木材を用いれば、紙片ホルダ１０の美観をさらに向上させることができる。
なお、挟持体本体部１２および押圧板１４に配設した磁石および磁性体１７は必ずしもシート状に形成されていなくてもよい。ソリッド状に形成された磁石１５および磁性体１７は、挟持体本体部１２および押圧板１４に一部または全体を埋設させればよい。さらには、挟持体本体部１２と押圧板１４の両方に磁石１５を配設する形態とすることも可能である。
【００２１】
（第３の実施形態）
図８は、第３の実施形態における紙片ホルダの正面図である。本実施形態においては、連結板１６と並列に配設された装飾体１９が配設されている。装飾体１９は、ロッド状に形成され、挟持体本体部１２どうしが対向する側の面に形成された配設穴１２ｄに差し込むことにより挟持体本体部１２に取り付けられている。図示しないが、装飾体１９の表面には彫刻等の装飾が施されていることが好ましい。また、装飾体１９の厚さにより、押圧板１４と挟持体本体部１２（挟持体１３）に挟持されている紙片２０の側面を覆うようにすれば、紙片２０の横方向のずれを防止する効果を得ることができるため好都合である。
【００２２】
（第４の実施形態）
図９は、第４の実施形態における紙片ホルダの正面図である。本実施形態においては、挟持体本体部１２と押圧板１４（挟持体１３）が一体に形成されている点で上記の実施形態と相違している。挟持体本体部１２の表面および押圧板１４の背面に、それぞれ回転軸２１を挿通させる挿通部（図示せず）を配設し、挿通部とつるまきバネ等の付勢手段（図示せず）に回転軸２１を挿通させている。このように、挟持体本体部１２と押圧板１４（挟持体１３）は付勢手段と回転軸２１により一体となり、クリップ形状をなしているので、挟持体本体部１２と押圧板１４による紙片２０の挟持機能は維持しつつ、押圧板１４の紛失を防ぐこともできる。
なお、掲示すべき紙片２０が大判である場合等においては、図９に示すように、連結板１６が複数本配設される形態を採用することもできる。
【００２３】
（第５の実施形態）
図１０は、第５の実施形態における挟持体の側面図である。図１１は、第５の実施形態における紙片ホルダの側面図である。本実施形態においては、挟持体１３による紙片２０の挟持形態が以上に説明した実施形態とは異なり、挟持体１３に形成された挟持溝３０に紙片２０を差し込む形態を採用している。本実施形態で挟持する紙片２０は色紙等のようなある程度の厚さを有するものを対象にしている。本実施形態における紙片２０は挟持溝３０との間に作用する摩擦力により挟持される。挟持体１３には複数種類の異なる幅寸法の挟持溝３０が形成されていることが好ましい。
【００２４】
なお、紙片２０の厚さよりも挟持溝３０の幅寸法が幅広であったとしても、紙片２０を挟持することはもちろん可能である。具体的には、紙片２０の上下又は左右の両端縁部を挟持体１３の挟持溝３０に差し込んだ後、紙片２０の両端縁部を挟持溝３０の底部３０ａに当接させ、紙片２０にわずかな面内圧縮力が作用する程度（対向する挟持体１３の挟持溝の底部３０ａどうしの離反距離Ｔａが紙片２０の両端縁間の距離Ｔｂに等しい距離となるよう）に連結板１６で挟持体１３を連結して紙片ホルダ１０を組み立てすればよい。
【００２５】
以上に、本発明にかかる紙片ホルダ１０について実施形態に基づいて詳細に説明してきたが、本発明は以上の実施形態に限定されるものではない。
例えば、以上の実施形態における紙片ホルダ１０は、紙片２０を縦方向に掲示する形態について説明しているが、紙片２０を横方向に掲示させることもできる。
また、連結部として連結板１６を用いているが、連結部は必ずしも板状に形成されたものである必要はなく、ロッド状の連結部を採用することももちろん可能である。
さらにまた、挟持体本体部１２、押圧板１４はジグザグ状や曲線状をなす板状体に形成することもできるのはいうまでもない。また、挟持体１３は挟持すべき紙片２０に応じて柱状体にする等、板状体に限らず適宜の形状に形成すればより好適である。
【００２６】
また、第２の実施形態の変形例としては、図１２に示すように、磁性体１７が配設された押圧板１４と磁石１５が配設された挟持体本体部１２とを蝶板４０を用いて回動可能に連結する形態を採用することもできる。この形態を採用することにより、押圧版１４を紛失してしまうおそれがなく、紙片２０の挟持もより簡易に行うことができるので好都合である。
【図面の簡単な説明】
【００２７】
【図１】第１の実施形態における紙片ホルダの正面図である。
【図２】紙片ホルダの平面図である。
【図３】挟持体本体部の側面図である。
【図４】第１の実施形態における紙片ホルダの分解図である。
【図５】紙片ホルダへの紙片の取り付け方法を示す説明図である。
【図６】紙片ホルダに紙片を取り付けた状態を示す正面図である。
【図７】第２の実施形態における紙片ホルダの正面図である。
【図８】第３の実施形態における紙片ホルダの正面図である。
【図９】第４の実施形態における紙片ホルダの正面図である。
【図１０】第５の実施形態における挟持体の側面図である。
【図１１】第５の実施形態における紙片ホルダの側面図である。
【図１２】第２の実施形態における挟持体の変形例を示す側面図である。
【符号の説明】
【００２８】
１０  紙片ホルダ
１２  挟持体本体部
１３  挟持体
１４  押圧板
１５  磁石
１６  連結板
１７  磁性体
１８  ネジ孔
１９  装飾体
２０  紙片
２１  回転軸
３０  挟持溝
４０  蝶番
【図１】
2006221126.tif 000003
【図２】
2006221126.tif 000004
【図３】
2006221126.tif 000005
【図４】
2006221126.tif 000006
【図５】
2006221126.tif 000007
【図６】
2006221126.tif 000008
【図７】
2006221126.tif 000009
【図８】
2006221126.tif 000010
【図９】
2006221126.tif 000011
【図１０】
2006221126.tif 000012
【図１１】
2006221126.tif 000013
【図１２】
2006221126.tif 000014